(57)【要約】作り付けのハーネス１４を有するターンアウト上着１０及びズボン１２を備えている防護服が開示され、ハーネス１４は、上着１０及びズボン１２の外部又は内部に取り付けられ、ハーネス１４は更に、上着１０をズボン１２に取り付けられ、上着１０及びズボン１２の着用者は、種々の箇所でハーネス１４を安全ロープに接続されている。
2005520063.tif 000002
【特許請求の範囲】
【請求項１】
上着と、
ズボンと、
前記上着に取り付けられる上側部分、前記ズボンに取り付けられる下側部分、及び接合具を有し、前記上側部分は前記下側部分に接続可能である安全ハーネスと、
を備えている防護服。
【請求項２】
前記ハーネスに諸装置を取り付けるためのアタッチメントを更に備えている、請求項１に記載の防護服。
【請求項３】
前記安全ハーネスは、該ハーネスの寸法を調節すべく、操作可能な少なくとも１つのアジャスタを更に備えている、請求項１に記載の防護服。
【請求項４】
前記少なくとも１つのアジャスタは、
第１端及び第２端を有すると共に、該第１端で前記上側部分に接続される少なくとも１つの調節可能なストラップと、
前記第２端に取り付けられるクリップと、
前記調節可能なストラップに向き合って前記上側部分に取り付けられるリングとを備えており、前記クリップは前記リングと連結している、請求項３に記載の防護服。
【請求項５】
前記安全ハーネスの前記上側部分は、更に第１及び第２の上側ストラップを備え、該上側ストラップの各々は、正面肩領域から正面ウェスト領域にかけて並びに上側背面領域から下側背面領域にかけて前記上着に取り付けられており、
前記安全ハーネスの前記下側部分は、更に第１及び第２の脚部ストラップを備え、該脚部ストラップの各々は、正面及び背面の上側太腿領域のところで前記ズボンの脚部に取り付けられている、請求項１に記載の防護服。
【請求項６】
前記第１及び第２の脚部ストラップは調節可能である、請求項５に記載の防護服。
【請求項７】
前記安全ハーネスの前記上側部分は、更に、
前記上側背面領域を横断して前記第１及び第２の上側ストラップを接続する上側背面ストラップと、
前記下側背面領域を横断して前記第１及び第２の上側ストラップを接続する下側背面ストラップと、
を備えている、請求項５に記載の防護服。
【請求項８】
第１端及び第２端を有し、該第１端で前記第１の上側ストラップに接続される第１の調節可能ストラップと、
前記第２端に取り付けられる第１のクリップと、
前記第１の調節可能ストラップに向き合って前記第２の上側ストラップに接続される第１のリングであって、前記第１の調節可能ストラップが前記正面肩領域を横断して連結している第１のリングと、
第１端及び第２端を有し、この第１端で前記第１の上側ストラップに接続される第２の調節可能ストラップと、
前記第２端に取り付けられる第２のクリップと、
前記第２の調節可能ストラップに向き合って前記第２の上側ストラップに接続される第２のリングであって、前記第２の調節可能ストラップが前記正面ウェスト領域を横断して連結している第２のリングと、
を更に備えている、請求項７に記載の防護服。
【請求項９】
前記接合具は複数のＤリングから構成されている、請求項８に記載の防護服。
【請求項１０】
前記複数のＤリングのうちの１つは、前記上側背面ストラップに取り付けられ、前記複数のＤリングのうちのもう１つは、前記第１の調節可能ストラップに取り付けられている、請求項９に記載の防護服。
【請求項１１】
前記第１の調節可能ストラップに取り付けられた前記Ｄリングに装着される安全ロープを更に備えている、請求項１に記載の防護服。
【請求項１２】
前記アタッチメントは、前記上着の少なくとも１つの側面に取り付けられた少なくとも１つのＤリングを備えている、請求項１１に記載の防護服。
【請求項１３】
前記安全ロープを保管するためのポケットを更に備え、該ポケットは前記上着に部分的に取外し自在に取り付けられている、請求項１２に記載の防護服。
【請求項１４】
前記ポケットは、前記上着に恒久的に取り付けられる第１縁部と、前記上着に取外し自在に取り付けられる第２縁部と、前記上着に取外し自在に取り付けられる第３縁部と、前記上着に取外し自在に取り付けられているか又は取り付けられていない第４縁部とを備えている、請求項１３に記載の防護服。
【請求項１５】
前記第１及び第２の脚部ストラップは調節可能である、請求項１４に記載の防護服。
【請求項１６】
前記アタッチメントは前記上着の少なくとも１つの側面に取り付けられる少なくとも１つのＤリングを備えている、請求項２に記載の防護服。
【請求項１７】
前記ハーネスは前記上着及び前記ズボンに恒久的に取り付けられている、請求項１に記載の防護服。
【請求項１８】
前記接合具に取り付けられる安全ロープを更に備えている、請求項１に記載の防護服。
【請求項１９】
前記安全ロープは前記接合具に取外し自在に取り付けられている、請求項１８に記載の防護服。
【請求項２０】
前記安全ロープを保管するためのポケットを更に備え、該ポケットは前記上着に部分的に取外し自在に取り付けられている、請求項１９に記載の防護服。
【請求項２１】
前記ポケットは、前記上着に恒久的に取り付けられる第１縁部と、前記上着に取外し自在に取り付けられる第２縁部と、前記上着に取外し自在に取り付けられる第３縁部と、前記上着に取外し自在に取り付けられている又は取り付けられていない第４縁部とを備えている、請求項２０に記載の防護服。
【請求項２２】
前記ハーネスの少なくとも一部は前記上着の内部に取り付けられている、請求項１に記載の防護服。
【請求項２３】
前記上着及び前記ズボンは難燃材から構成されている、請求項１に記載の防護服。
【請求項２４】
上着及びズボンに取り付けられる調節可能な安全ハーネスであって、
正面肩領域から正面ウェスト領域にかけて並びに背面肩領域から下側背面領域にかけて前記上着にそれぞれ取り付けられている第１及び第２の上側ストラップと、
前記背面肩領域を横断して前記第１の上側ストラップを前記第２の上側ストラップに接続する上側背面ストラップと、
前記下側背面領域を横断して前記第１の上側ストラップを前記第２の上側ストラップに接続する下側背面ストラップと、
第１及び第２の調節可能な脚部ストラップであって、各々は、正面及び背面上側太腿領域で前記ズボンの脚部に取り付けられ、前記第１及び第２の上側ストラップにそれぞれ接続されている第１及び第２の調節可能な脚部ストラップと、
接合具と、
諸装置を前記安全ハーネスに取り付けるべく操作可能なアタッチメントと、
を備えている調節可能な安全ハーネス。
【請求項２５】
前記接合具に取り付けられる安全ロープと、
前記上着に部分的に取外し自在に取り付けられ、前記安全ロープを保管するためのポケットと、
を更に備えている、請求項２４に記載の調節可能な安全ハーネス。
【請求項２６】
第１端及び第２端を有し、該第１端で前記第１の上側ストラップに取り付けられている少なくとも１つの調節可能ストラップと、
前記第２端に取り付けられる少なくとも１つのクリップと、
該少なくとも１つのクリップが連結されていると共に、前記接合具が前記少なくとも１つの調節可能ストラップに配置されている少なくとも１つのリングと、
を更に備えている、請求項２５に記載の調節可能な安全ハーネス。
【請求項２７】
第１端及び第２端を有する第１の調節可能ストラップであって、前記第１端で前記第１の上側ストラップに接続されていると共に、前記接合具を配置せしめている第１の調節可能ストラップと、
前記第２端に取り付けられる第１のクリップと、
前記第１の調節可能ストラップと向き合って前記第２の上側ストラップに接続される第１のリングであって、前記第１の調節可能ストラップが前記正面肩領域を横断して連結している第１のリングと、
第１端及び第２端を有する第２の調節可能ストラップであって、前記第１端で前記第１の上側ストラップに接続されている第２の調節可能ストラップと、
前記第２端に取り付けられる第２のクリップと、
前記第２の調節可能ストラップと向き合って前記第２の上側ストラップと接続される第２のリングであって、前記第２の調節可能ストラップが前記正面ウェスト領域を横断して連結している第２のリングと、
を更に備えている、請求項２５に記載の調節可能な安全ハーネス。
【請求項２８】
第１及び第２の調節可能な接続ストラップであって、各々は第１端及び第２端を有しており、前記第１の調節可能な接続ストラップは、前記第１の上側ストラップ、前記下側背面ストラップ及び前記第１の調節可能ストラップが会合する第１部位に前記第１端で取り付けられており、前記第２の調節可能な接続ストラップは、前記第２の上側ストラップ、前記下側背面ストラップ及び前記第２の調節可能ストラップが会合する第２部位に前記第１端で取り付けられている第１及び第２の調節可能な接続ストラップと、
前記第１及び第２の調節可能な接続ストラップの前記第２端にそれぞれ取り付けられる第１及び第２のクリップと、
第１及び第２のバンドであって、各々は第１端及び第２端を有しており、前記第１のバンドは前記第１端で前記第１の脚部ストラップに取り付けられ、前記第２のバンドは前記第１端で前記第２の脚部ストラップに取り付けられている第１及び第２のバンドと、
第１及び第２のリングであって、該第１のリングは前記第１のバンドの前記第２端に取り付けられ、該第２のリングは前記第２のバンドの前記第２端に取り付けられており、前記第１のクリップが前記第１のリングと連結し、前記第２のクリップが前記第２のリングと連結している第１及び第２のリングと、
を更に備えている、請求項２６に記載の調節可能な安全ハーネス。
【請求項２９】
前記接合具はＤリングである、請求項２８に記載の調節可能な安全ハーネス。
【請求項３０】
複数の追加Ｄリングを更に備えている、請求項２９に記載の調節可能な安全ハーネス。
【請求項３１】
前記複数の追加Ｄリングのうちの少なくとも１つは、前記上側背面ストラップに取り付けられている、請求項３０に記載の調節可能な安全ハーネス。
【請求項３２】
前記アタッチメントは、前記第１部位に取り付けられる少なくとも１つのＤリングと、前記第２部位に取り付けられる少なくとも１つのＤリングとを備えている、請求項２８に記載の調節可能な安全ハーネス。
【請求項３３】
前記ハーネスは前記上着及び前記ズボンに恒久的に取り付けられている、請求項２８に記載の調節可能の安全ハーネス。
【請求項３４】
前記上着、前記ズボン及び前記ハーネスは難燃材から構成されている、請求項２４に記載の調節可能な安全ハーネス。
【請求項３５】
前記ハーネスは反射材で被覆されている、請求項３４に記載の調節可能な安全ハーネス。
【請求項３６】
前記ハーネスは帯紐から構成されている、請求項２４に記載の調節可能な安全ハーネス。
【請求項３７】
前記帯紐はナイロン製帯紐である、請求項３６に記載の調節可能な安全ハーネス。
【請求項３８】
前記ハーネスは反射材で被覆されている、請求項３６に記載の調節可能な安全ハーネス。
【請求項３９】
難燃性の上着及びズボンに恒久的に取り付けられる調節可能な安全ハーネスであって、
正面肩領域から正面ウェスト領域にかけて並びに背面肩領域から下側背面領域にかけて前記上着にそれぞれ取り付けられている第１及び第２の上側ストラップと、
前記背面肩領域を横断して前記第１の上側ストラップを前記第２の上側ストラップに接続する上側背面ストラップと、
前記下側背面領域を横断して前記第１の上側ストラップを前記第２の上側ストラップに接続する下側背面ストラップと、
各々が正面及び背面上側太腿領域で前記ズボンの脚部に取り付けられている第１及び第２の脚部ストラップと、
第１端及び第２端を有し、前記第１端で前記第１の上側ストラップに接続されている第１の調節可能ストラップと、
前記第２端に取り付けられる第１のクリップと、
前記第１の調節可能ストラップと向き合って前記第２の上側ストラップに接続される第１のリングであって、前記第１の調節可能ストラップが前記正面肩領域を横断して連結している第１のリングと、
第１端及び第２端を有し、前記第１端で前記第１の上側ストラップに接続されている第２の調節可能ストラップと、
前記第２端に取り付けられる第２のクリップと、
前記第２の調節可能ストラップと向き合って前記第２の上側ストラップに接続される第２のリングであって、前記第２の調節可能ストラップが前記正面ウェスト領域を横断して連結している第２のリングと、
第１及び第２の調節可能な接続ストラップであって、各々は第１端及び第２端を有しており、前記第１の調節可能な接続ストラップは、前記第１の上側ストラップ、前記下側背面ストラップ及び前記第１の調節可能ストラップが会合する第１部位に前記第１端で取り付けられ、前記第２の調節可能な接続ストラップは、前記第２の上側ストラップ、前記下側背面ストラップ及び前記第２の調節可能ストラップが会合する第２部位に前記第１端で取り付けられている第１及び第２の調節可能な接続ストラップと、
該第１及び第２の調節可能な接続ストラップの前記第２端にそれぞれ取り付けられる第１及び第２のクリップと、
第１及び第２のバンドであって、各々は第１端及び第２端を有しており、前記第１のバンドは前記第１端で前記第１の脚部ストラップに取り付けられ、前記第２のバンドは前記第１端で前記第２の脚部ストラップに取り付けられている第１及び第２のバンドと、
第１及び第２の接続リングであって、該第１の接続リングは前記第１のバンドの前記第２端に取り付けられ、該第２の接続リングは前記第２のバンドの前記第２端に取り付けられており、前記第１のクリップが前記第１の接続リングと連結し、前記第２のクリップが前記第２の接続リングと連結している第１及び第２の接続リングと、
複数のＤリングであって、そのうちの少なくとも１つは前記上側背面ストラップに取り付けられ、少なくとも１つは前記第１の調節可能ストラップに取り付けられている複数のＤリングと、
前記第１の調節可能ストラップに取り付けられた前記Ｄリングに取り付けられている安全ロープと、
前記安全ロープを保管するためのポケットであって、前記上着に恒久的に取り付けられる第１縁部と、前記上着に取外し自在に取り付けられる第２縁部と、前記上着に取外し自在に取り付けられる第３縁部と、前記上着に取外し自在に取り付けられている又は取り付けられていない第４縁部とを有しているポケットと、
諸装置を前記ハーネスに取り付けるための複数のＤリングであって、そのうちの少なくとも１つが前記第１部位に取り付けられ、少なくとも１つが前記第２部位に取り付けられている複数のＤリングと、
を備えている安全ハーネス。
【発明の詳細な説明】
【技術分野】
【０００１】
本発明は、防護服に関するものである。特に、本発明は、恒久的に取り付けられた汎用性の安全ベルトもしくはハーネスを有するターンアウト（turnout)上着及びズボンに関係している。
【背景技術】
【０００２】
消防士は、ターンアウト上着及びズボンからなる防護服を着用しているのが一般的である。かかる被服は、ゴワゴワした難燃材で製作されている。また、消防士は、防護服とは別々に着用されるのが典型的である安全ハーネスのような装備を使用するのが普通である。安全ベルトは、例えば、消防士が負傷した消防士を降下させたり下の階から持ち上げたりするのに使用されている。
【０００３】
先行技術では、特に消防士による使用のために、防護服とハーネスを一体化することが試みられてきた。例えば、ハッチンソン(Hutchinson)に対する米国特許第３,９７３,６４３号は、消防士の上着のための着脱式ハーネスに向けられている。このハーネスは、着用者の胴の周りに適合するようになっていると共に、膝までの長さのターンアウト上着の内側に外せるように取り付けられている。ハッチンソンは、ターンアウト上着及びターンアウトズボンの双方に取り付けられる安全ハーネスを開示していない。更に、このハーネスの着脱性は、防護服に恒久的に取り付けられたハーネスの耐久性及び強度をもたらしていない。同様に、米国特許第５,９７０,５１７号において、ジョーダン(Jordan)は、支援ロープが通る正面開口を有する上着内に固定されたハーネスを開示している。
【０００４】
ヴィネ（Vinai)に対する米国特許第４,６２５,３３５号において、安全ハーネスは、身体全体を覆うシングルピースのカバーオールに取り付けられている。このようなシングルピースの衣料品は、迅速に装着することができないので、消防士による使用には不適合である。
【０００５】
ラーソン(Larson)に対する米国特許第５,２８９,５９０号は、安全ハーネス付きズボンを開示しており、そこでは、このハーネスは、ズボンの内側に取り付けられているが、身支度のための準備位置に維持されていなければならない。ハーネスは、ズボンに単に取り付けられており、当該ハーネスの内部がその準備位置になければ、着用が難しいことになる。同様に、コロラド(Colorado)に対する米国特許第６,１０５,１６９号は、ズボンのインナーライナーに組み込まれたハーネス及びストッパのアセンブリを開示している。
【０００６】
グリリオ(Grilliot)等に対する米国特許第５,０３６,５４８号において、消防士のズボンは、安全ハーネスが接続可能な接合具を装備している。
【０００７】
先行技術は、単一の安全ハーネスがターンアウト上着及びターンアウトズボンの双方にしっかり固定されたターンアウト上着及びターンアウトズボンの組合せを開示していない。このような組合せは、それが２つの別個の衣料品、即ち上着及びズボンに取り付けられるためハーネスの耐久性及び安全性を向上させるので、望ましい。更に、別々のピースは、代表的には消火現場における緊急事態の際に消防士により迅速かつ容易に着用することができ、消防士は、そのいつものターンアウトギアの上に安全ハーネスを全面的に常に準備しておくことが望ましい。
【発明の開示】
【発明が解決しようとする課題】
【０００８】
本発明は、安全ハーネスが装着されたターンアウト上着付きターンアウトズボンを備えている。安全ハーネスは、上着及びズボンに恒久的に取り付けられている。このハーネスは、上着及びズボンを互いに取り付け、即ち、ハーネスのコンポーネントを互いに取り付ける接合具を備えている。それに加えて、ハーネスには、同ハーネスを安全索もしくはロープや装備を支持するアタッチメントに接続する接合具を有している。本発明は、先行技術のハーネスよりも強度があり且つ丈夫なハーネスを提供すると共に、いつものターンアウトギアの快適さに影響を与えることなく汎用性を促進するものである。更に、本発明は、消防士により迅速且つ容易に装着されて固定されるようになっている。本発明は、消防士に、ターンアウトギアを着用するだけで、追加装備の必要なしに、心構えをもたらしている。加えて、本発明のターンアウトギアを着用した負傷又は意識不明の消防士は、救助のため安全ロープに容易に取り付けられるので、生命にかかわる状況下での時間を節約することが可能となる。
【課題を解決するための手段】
【０００９】
本発明の一形態に基づいて、ターンアウト上着と、ターンアウトズボンと、この上着及びズボンに取り付けられた安全ハーネスとを備える防護服が提供されている。安全ハーネスは、上着に取り付けられている上側部分と、ズボンに取り付けられている下側部分と、安全ロープ又はその他の救助及び安全装備をそこに接続するための接合具とを有している。更に、ハーネスを着けた別の人は、この接合具に取り付けられるようになっている。ハーネスの上側部分及び下側部分は接続可能である。このハーネスは更に、諸装置を取り付けるためのアタッチメント、フラッシュライトのような安全装備、或いはリペリング(repelling)装置を有していてもよい。
【００１０】
安全ハーネスの寸法は、同ハーネスが着用者に適切にフィット（適合）するように、調節可能ストラップにより調節することが可能である。ハーネスの上側部分は、正面肩領域から正面ウェスト領域にかけて並びに上側背面領域から下側背面領域にかけて上着に取り付けられる第１及び第２の上側ストラップを備えている。ハーネスの下側部分は、正面及び背面の上側太腿領域のところで前記ズボンの脚部に取り付けられている第１及び第２の脚部ストラップを備えている。これら脚部ストラップは調節可能となっている。更に、上側部分は上側背面ストラップ及び下側背面ストラップを備えている。
【００１１】
本発明の別の形態に基づいて、接合具は、種々の箇所でハーネスに取り付けられる複数のＤリングとなっている。一実施形態によると、１つのＤリングは前記上側背面ストラップに取り付けられ、もう１つのＤリングは調節可能ストラップの１つに取り付けられている。従って、安全ロープは、調節可能ストラップに取り付けられたＤリングか、或いは背面ストラップに取り付けられたＤリングに取り付けられることになる。
【００１２】
本発明のもう１つの形態によると、安全装備のためのアタッチメントは、上着の側面に取り付けられるＤリングとすることが可能である。
【００１３】
本発明のもう１つの形態によると、防護服は、安全ロープを保管するためのポケットを更に備えている。このポケットは、上着に部分的に取外し自在に取り付けられるようになっている。一実施形態によると、ポケットは、上着に恒久的に取り付けられる１つの縁部と、上着に取外し自在に取り付けられる２つの縁部とを備えている。第４の縁部は、上着に取外し自在に取り付けられてもよいし、或いは上着に完全に取り付けられていなくてもよい。
【００１４】
更に、本発明のもう１つの形態によると、安全ハーネスは、前記上着及び前記ズボンに恒久的に取り付けられている。更に、ハーネスの少なくとも一部は、上着の内部に取り付けられていてもよい。
【発明を実施するための最良の形態】
【００１５】
図１〜図３を参照すると、一体型の安全ハーネス１４を有するターンアウト上着１０及びズボン１２が示されている。好適な実施形態において、ターンアウト上着１０の長さは、着用者（図示せず）のほぼウェストラインまで達するようになっている。勿論、本発明は、膝までの長さのジャケットのような、もっと長いターンアウトジャケットの使用も考えている。このようなジャケットでは、コンポーネントの幾つかをジャケットの内側に取り付けることが可能となっている。ハーネス１４は、縫合、膠着、又はその他の適宜な恒久的方法により上着１０及びズボン１２に恒久的に取り付けられている。勿論、本発明は、ハーネスを上着及びズボンの外部又は内部のどちらかに取り付けることを目論んでいる。加えて、本発明は、ターンアウトギアの他に、ハーネス１４を他の形式の上着又はシャツ及びズボンに取り付けることを更に考えている。従って、本発明は、ターンアウトギアではなく、そのため難燃材ではない、作業上着又は作業シャツ及び作業ズボンを含んでいてもよい。このような場合、ハーネスは、例えばナイロン製の網目状組織を含む任意の形式の帯紐もしくは網目状組織から構成することが可能である。好適な実施形態において、ハーネスは、スリーエム（３Ｍ）から入手可能なＳＭスコッチライト(SCOTCHLITE)のような反射性材料で被覆されていてもよい。
【００１６】
好適な実施形態において、ハーネス１４は、肩領域１８からウェスト領域２０にかけての上着１０の正面に接続された一対の上側ストラップ１６を備えている。該上側ストラップ１６は、上着の背面まで周って続いていると共に、上側背面領域２２から下側背面領域２４まで取り付けられている。上側背面ストラップ２６は、上側背面領域２２を横断して、対の上側ストラップを互いに接続している。下側背面ストラップ２８は、下側背面領域２４を横断して、対の上側ストラップを互いに接続している。
【００１７】
ハーネス１４は更に、各脚部の太腿領域３２の正面及び背面を周って取り付けられた一対の脚部ストラップ３０を備えている。脚部ストラップ３０は、可調節スライド３１を介して調節可能である。勿論、本発明は、上着及びズボンにおいてハーネスストラップを任意の適当な配列にすることも考えている。
【００１８】
図４〜図６は、ハーネス１４と関連して用いられる種々の好適なクリップ及びリングアセンブリの詳細を示している。図４は、鎖錠クリップアセンブリ３６を示している。この鎖錠クリップアセンブリ３６は、ストラップ３８と、調節スライド４０と、鎖錠クリップ４２とを有している。鎖錠クリップ４２は、フック部材４１と、鎖錠部材４３と、鎖錠クリップ４２をストラップ３８に取り付けるためのリンク４４とを備えている。鎖錠部材４３は、フック部材４１にピボット（旋回）式に取り付けられている。鎖錠部材４３は、フック部材４１の縁を越えて旋回することは不可能である。
【００１９】
ストラップ３８の第１端４６は、調節スライド４０のクロスバー４８に取り付けられている。ストラップ３８は、このストラップ３８の長さを同ストラップ３８に沿って調節スライド４０を滑動させることにより変えられるように、調節スライド４０を縫って通されている。ストラップの第２端５０は、後述するように、上着又はズボンのある部分に接続されるのが典型的である。
【００２０】
図５は、小さなＤリング５２を示している。この小さなＤリング５２はストラップ５４を有しており、これは、該ストラップ５４がクロスバー５５を輪になって囲むことにより小さなＤリング５２に結合されている。小さなＤリング５２は、後述するように、上着又はズボンの諸部分を締め付けるために、鎖錠アセンブリ３６と組み合わせて使用することが可能となっている。
【００２１】
図６は、大きなＤリング５６を示している。ストラップ５８は、クロスバー５９を輪になって囲んでいる。ストラップ５８は、この大きなＤリング５６をハーネス１４の一部に取り付けるための取付けバンド６０を有している。大きなＤリング５６は、後述するように、ハーネス１４を安全索もしくはロープ又は装備（図示せず）に接続するために用いられている。勿論、本発明は、上述したクリップ及びリングアセンブリの全部又は一部の代わりに任意の適当な接合具を考慮に入れている。
【００２２】
図１〜図３を振り返って参照すると、鎖錠クリップアセンブリ３６ａ及び小さなＤリング５２ａは、好ましくは、肩領域１８にある上側ストラップ１６のどちらにも取り付けられている。図示のように、鎖錠アセンブリ３６ａは、ストラップ３８ａの第２端５０ａを介して上側ストラップの一方に接続されている。小さなＤリング５２ａは、そのストラップ５４ａを介して他方の上側ストラップに取り付けられている。鎖錠クリップ４２ａは、上側ストラップを胸部領域を横断して互いに取り付けるために、小さなＤリング５２ａと対になっている。調節スライド４０ａは、上着の着用者に応じてストラップの長さを調節するために、スライド可能となっている。また、鎖錠アセンブリ３６ａのストラップ３８ａには大きなＤリング５６ａも設けられている。この大きなＤリング５６ａは、後述するように、ハーネス１４を安全ロープに接続するために用いられている。
【００２３】
別の鎖錠アセンブリ３６ｂ及び小さなＤリング５６ｂは、上側ストラップ１６のウェスト領域２０に取り付けられている。鎖錠クリップ４２ｂは、この小さなＤリング５６ｂと対になっている。調節スライド４０ｂは、上着の着用者に応じてストラップのサイズを調節するために、スライド可能となっている。下側背面ストラップ２８、上側ストラップ１６、及び鎖錠アセンブリ３６ｂ又は小さなＤリング５２ｂのストラップ５４ｂにある部位６２に取り付けられた一対の大きなＤリング５６ｂが存在している。大きなＤリング５６ｂは、工具又は救助装備（図示せず）のような装置を安全ロープのハーネス１４に取り付けるために使用されている。
【００２４】
好ましくは、一対の鎖錠アセンブリ３６ｃもストラップ３８ｃを介して部位６２でハーネス１４に取り付けられている。一対の小さなＤリング５２ｃは、ストラップ５４ｃを介してハーネスの脚部ストラップ３０に取り付けられている。鎖錠クリップ４２ｃ及び小さなＤリング５２ｃは、それらが接続されて上着１０のハーネスをズボン１２のハーネスに連結するように配置されており、従って、上着１０をズボン１２に接続する接合具として機能している。連結の際、調節スライド４０ｃは、ハーネスが着用者の身長に基づいて同着用者にぴったり適合するように、ストラップ３８ｃの長さを調節すべく移動可能となっている。
【００２５】
大きなＤリング５２ｃは、上側背面ストラップ２６に取り付けられている。この大きなＤリング５６は安全ロープに連結されている。
【００２６】
図１〜図７を参照すると、上着１０は、更にポケット６２を備えている。このポケットは、ストラップ５４ａの領域を囲んで上着１０に取り付けられていると共に、好ましくは、上着１０と同じ材料から形成されている。ポケット６２は、恒久的取付けの１つの底縁部６４を備えており、これは上着１０に恒久的に取り付けられにている。側縁部６６，６８は、例えばベルクロ(Velcro)又はその他の簡易脱着法により、上着１０に取外し自在に取り付けられている。頂縁部７０は、側縁部６６，６８と同様に上着２０に取外し自在に取り付けられてもよいし、上着１０との取付けと無関係であってもよい。従って、ポケット６２の内部７２は、上着から縁部６６，６８及び７０を取り外すと共に、外側フラップ７４を底縁部６４の周りに旋回させることにより、迅速にアクセス（接近）可能となっている。
【００２７】
安全ロープ又は係留ロープ７６は、ポケット６２内に保管されていることが好ましい。係留ロープは、同ロープの各端で取り付けられた鎖錠クリップ４２ｅ，４２ｆを備えている。鎖錠クリップ４２ｅは、フック部材４１ｅと鎖錠部材４３ｅを備え、鎖錠クリップ４２ｆは、フック部材４１ｆと鎖錠部材４３ｆを備えている。大きなＤリング５６ａはストラップ５４ａに取り付けられている。従って、安全ロープ７６は、鎖錠クリップ４２ｅを介して大きなＤリング５６ａのところで取り付け可能となっている。安全ロープを大きなＤリング５６ａに固定するために、鎖錠クリップは、鎖錠部材４３ｅのところでＤリングに簡単に押し付けられることになる。これにより鎖錠部材は内方に旋回させられ、Ｄリングはフック部材４１ｅの内部にアクセスするようになる。フック部材４１ｅのこの内部領域に一旦入れば、鎖錠部材は、図７に示すように、フック部材４１ｅの内部に当るその常軌的鎖錠位置へ旋回することになる。ポケット６２中に保管されている間、安全ロープは常に大きなＤリング５６ｅに固定されていることが好ましい。従って、自由な鎖錠クリップ４２ｆは、リペリング又はその他の救助作業の必要なときに固定可能となる。安全ロープ７６は、同ロープの長さを調節するために調節スライド７８を更に備えている。
【００２８】
本発明のターンアウトギアを利用するために、ターンアウト上着及びズボンの着用者は、鎖錠アセンブリ及び小さなＤリング３６ａ及び５２ａ，３６ｂ及び５２ｂ並びに３６ｃ及び５２ｃの各々を連結することになる。この連結は、鎖錠クリップ４２ａ，４２ｂ及び４２ｃを用いて行われている。小さなＤリング５２は、鎖錠部材４３のところで対応する鎖錠クリップ４２に押し付けられている。これにより、鎖錠部材４３が内方に旋回せしめられ、鎖錠クリップのフック部材４１の内部への小さなＤリング５２のアクセスを可能になる。次いで、鎖錠部材４３は、フック部材の内部に当るその常軌的鎖錠位置へと旋回して戻る。その後、着用者は、ハーネス、上着及びズボンのぴったりしたフィット性のために各調節スライド４２ａ，４２ｂ及び４２ｃを動かすことが可能となる。ハーネスをフィットさせるこれらのステップは、着用者が初めにターンアウト上着及びズボンを着るときに行われるのが普通である。
【００２９】
次に、現場における救助作業の過程において、必要に応じ、安全ロープ７６には、ポケット６２を取り外すことにより着用者がアクセスすることが可能となっている。安全ロープ７６は、鎖錠クリップ４２ｅを介して大きなＤリング５６ａのところでハーネスに一端で既に固定されていることが好ましい。そうすれば、安全ロープは、鎖錠クリップ４２ｅを介して大きなＤリング５６ａに迅速に固定することが可能である。また、安全ロープの自由端は、リペリング或いはその他任意の救助又は安全目的のため外側位置に固定されてもよい。さらに、別の人の安全ロープ７６が大きなＤリング５６ｂの各々を介してハーネスに接続されてもよい。大きなＤリング５６ａ，５６ｂは安全ロープ用に同時に利用することができ、或いは一方を安全ロープ用に利用し、他方を、ハーネスに別の人を固定するのに利用することも可能である。大きなＤリング５６ａ，５６ｂの利用可能性はハーネス１４の汎用性を向上させるものである。更に、工具及び救助装備のような諸装置は、それらが着用者に容易にアクセスしうるように、大きなＤリング５６ａ，５６ｂ及び５６ｃのどれにでも取り付けられうる。本発明の着用者が意識不明あれば、大きなＤリング５６ｃは、それが容易にアクセスし得るので、着用者を安全ロープに取り付けるのに利用され、意識不明の着用者を安全のため容易に昇降させることが可能となる。
【００３０】
勿論、本発明は、更なる安全ロープ、装備の取付け、或いはその他の安全目的のため、もっと大きな又はもっと小さなＤリングをハーネスに接続することを考慮に入れている。
【００３１】
本発明は、ここで特定の実施形態について説明されているが、これらの実施形態は、本発明の原理及び適用例の単なる例示であることを理解されたい。従って、例示した実施形態に対して数多の改変を行うことができ、また、添付の特許請求の範囲により規定される本発明の精神及び範囲から逸脱することなく、その他の構造を創出し得ることを理解されたい。
【産業上の利用可能性】
【００３２】
本発明は、限定されるものではなく、防火の分野における使用を含め、広範囲の産業上の適用可能性を有している。
【図面の簡単な説明】
【００３３】
【図１】本発明に従った作り付けのハーネスを有するターンアウト上着及びズボンの正面図である。
【図２】本発明に従った作り付けのハーネスを有するターンアウト上着及びズボンの背面図である。
【図３】本発明に従った作り付けのハーネスを有するターンアウト上着及びズボンの側面図である。
【図４】本発明に従った鎖錠クリップアセンブリの斜視図である。
【図５】本発明に従った小さなＤリングの斜視図である。
【図６】本発明に従った大きなＤリングの正面図である。
【図７】本発明に従ったポケットの内部の正面図である。
【図１】
2005520063.tif 000003
【図２】
2005520063.tif 000004
【図３】
2005520063.tif 000005
【図４】
2005520063.tif 000006
【図５】
2005520063.tif 000007
【図６】
2005520063.tif 000008
【図７】
2005520063.tif 000009
【国際調査報告】
2005520063.tif 000010
2005520063.tif 000011